(57)【要約】【課題】複数の対物レンズを搭載する光ピックアップ用レンズホルダであって、対物レンズの傾き調整作業を行い易い光ピックアップ用レンズホルダを提供する。【解決手段】光ピックアップ用レンズホルダ３２は、第１対物レンズ１７を保持する第１の保持部３３ａを１つ有する第１のホルダ３３と、第１のホルダ３３に搭載され、第２対物レンズ２５を１つ保持する第２の保持部３４ａを有し、保持した第２対物レンズ２５の傾きを調整するために使用される第２のホルダ３４と、を備える。第２のホルダ３４には、第２の保持部３４ａから略水平方向に延出して、治具と係合する係合部４１、４２を有する延出部３４ｂが２つ設けられ、２つの延出部３４ｂに形成される係合部４１、４２の形状は、互いに異なる形状である。【選択図】図５
2009146531.tif 000002
【特許請求の範囲】
【請求項１】
光源から出射される光を光記録媒体の記録面に集光するための対物レンズが複数搭載される光ピックアップ用レンズホルダであって、
前記対物レンズを保持する第１の保持部を１つ有する第１のホルダと、
前記第１のホルダに搭載され、前記対物レンズを１つ保持する第２の保持部を有し、保持した対物レンズの傾きを調整するために使用される１つ以上の第２のホルダと、を備え、
前記第２のホルダには、前記第２の保持部から略水平方向に延出して、治具と係合する係合部を有する延出部が２つ設けられ、
前記２つの延出部に形成される前記係合部の形状は、互いに異なる形状であることを特徴とする光ピックアップ用レンズホルダ。
【請求項２】
前記２つの延出部は、前記第２の保持部を挟んで略対称方向に延出することを特徴とする請求項１に記載の光ピックアップ用レンズホルダ。
【請求項３】
前記２つの係合部のうち、一方は凹部を有する形状であり、他方は凸部を有する形状であることを特徴とする請求項１又は２に記載の光ピックアップ用レンズホルダ。
【請求項４】
前記２つの係合部は、前記係合部に前記治具を左右から押し当てて前記第２のホルダを保持する場合に、前記第２のホルダの方向を一定の方向で保持できるように、その形状が形成されることを特徴とする請求項３に記載の光ピックアップ用レンズホルダ。
【請求項５】
前記凹部は略半円筒状であり、前記凸部は略三角柱状であることを特徴とする請求項３に記載の光ピックアップ用レンズホルダ。
【請求項６】
請求項１から５のいずれかに記載の光ピックアップ用レンズホルダを備えることを特徴とする光ピックアップ。
【発明の詳細な説明】
【技術分野】
【０００１】
本発明は、光源から出射される光を光記録媒体の記録面に集光する対物レンズを搭載する光ピックアップ用レンズホルダ、及びそれを備えた光ピックアップに関し、より詳細には、複数の対物レンズが光ピックアップ用レンズホルダの搭載される場合の構成に関する。
【背景技術】
【０００２】
コンパクトディスク（以下、ＣＤという。）やデジタル多用途ディスク（以下、ＤＶＤという。）といった光ディスク（光記録媒体）が普及している。更に、近年、光ディスクに記録される情報量を増やすための研究が進められ、例えば、ＨＤ−ＤＶＤやブルーレイディスク（以下、ＢＤという。）といった大容量の情報を記録できる光ディスクも実用化されている。このような光ディスクへの情報の書き込みや光ディスクに記録されている情報の読み出しを行うにあたっては、光ピックアップが用いられる。
【０００３】
ところで光ピックアップは、情報の読み取りや書き込みの対象となる光ディスクの種類が異なると、対物レンズの開口数（ＮＡ）や光源から出射される光の波長を異なったものとする必要が生じる場合がある。ＣＤ、ＤＶＤ、及びＢＤの場合を例に説明すると、対物レンズのＮＡ、光源から出射される光の波長λについて、例えば、ＣＤでは、ＮＡが０．４５、λが７８０ｎｍ、ＤＶＤでは、ＮＡが０．６５、λが６５０ｎｍ、ＢＤでは、ＮＡが０．８５、λが４０５ｎｍ、が用いられる。なお、ここでいう対物レンズは、光源から出射された光を光ディスクの記録面に集光するためのレンズのことを指している。
【０００４】
このように光ディスクの種類によって、対物レンズのＮＡや光源から出射される光の波長λを異なったものとする必要が生じる場合があるために、光ディスクの種類に応じて異なる光ピックアップを用いることも考えられる。しかし、光ディスクの種類に応じて異なる光ピックアップを使用する構成とするとコスト面等で不利が生じる。このために、従来、１つの光ピックアップで複数種類の光ディスクに対して情報の読み取りや情報の書き込みを行える光ピックアップが開発されている。
【０００５】
複数種類の光ディスクに対応する光ピックアップの中には、対物レンズを複数備え、情報の読み取りや書き込みの対象とされる光ディスクの種類によって対物レンズを使い分ける構成のものがある。このような光ピックアップにおいては、複数の対物レンズの間で相対的な収差が発生しないように、組み立て時に、少なくとも１つの対物レンズについて対物レンズの傾き調整が行われる。なお、このような対物レンズの傾きの調整は、例えば、対物レンズ自体を治具等で直接保持し、治具等を動かすことによって行われる（例えば、特許文献１から３参照）。
【０００６】
しかしながら、対物レンズ自体を保持して対物レンズの傾きを調整する構成の場合、対物レンズの高さ方向（光軸方向）の位置のばらつきが生じ易かったり、対物レンズを滑らかに動かし難く、対物レンズの傾き調整作業が行い難かったりする。
【０００７】
この点を考慮して、特許文献４のように、レンズホルダ（光ピックアップ用レンズホルダ）を第１のホルダと、第２のホルダとで構成し、複数の対物レンズのうち、第１のホルダに直接搭載される１個の対物レンズを除く対物レンズが、傾き調整用の第２のホルダを介して第１のホルダに搭載されるように構成することも考えられる。
【０００８】
この場合、例えば第１のホルダに球面状の当接部（この当接部は凹面である）を設け、この当接部に底面を球面（これは凸面である）とした第２のホルダを当接させることで、第２のホルダを第１のホルダに対して滑らかに摺動させながら、対物レンズの傾き調整を行える。また、傾き調整を行う対物レンズを第２のホルダに搭載しているために、対物レンズの高さ方向の位置について、ばらつきが生じることも抑制できる。
【０００９】
しかしながら、特許文献４に示される方法の場合、次のような問題がある。すなわち、特許文献４の方法では、第２のホルダの傾きを調整する場合に、第２のホルダの上方に治具を配置して第２のホルダの傾きを調整する。そして、更に、第２のホルダに搭載される対物レンズの上方に、傾き調整用の調整機（例えば、干渉計）を配置する。この場合、調整機と対物レンズとの隙間が非常に狭くなる（例えば、１ｍｍ程度）。このために、第２のホルダの部品サイズや調整用の治具のサイズを非常に小さくする必要が生じ、調整作業が行いにくく、調整工程に非常に時間がかかるといった問題があった。
【特許文献１】特開２００５−３４６８８３号公報
【特許文献２】特開２００１−１６０２３９号公報
【特許文献３】特開２００６−１９００１号公報
【特許文献４】特開平１０−１１７６５号公報
【発明の開示】
【発明が解決しようとする課題】
【００１０】
以上の点を鑑み、本発明の目的は、複数の対物レンズを搭載する光ピックアップ用レンズホルダであって、対物レンズの傾き調整作業を行い易い光ピックアップ用レンズホルダを提供することである。また、本発明の他の目的は、そのような光ピックアップ用レンズホルダを備えることにより、複数の対物レンズを備える光ピックアップであって、組み立て時の作業負担を低減できる光ピックアップを提供することである。
【課題を解決するための手段】
【００１１】
上記目的を達成するために本発明は、光源から出射される光を光記録媒体の記録面に集光するための対物レンズが複数搭載される光ピックアップ用レンズホルダであって、前記対物レンズを保持する第１の保持部を１つ有する第１のホルダと、前記第１のホルダに搭載され、前記対物レンズを１つ保持する第２の保持部を有し、保持した対物レンズの傾きを調整するために使用される１つ以上の第２のホルダと、を備え、前記第２のホルダには、前記第２の保持部から略水平方向に延出して、治具と係合する係合部を有する延出部が２つ設けられ、前記２つの延出部に形成される前記係合部の形状は、互いに異なる形状であることを特徴としている。
【００１２】
これによれば、治具と係合する係合部を、対物レンズを保持する保持部から離れた位置に形成することができる。このために、水平方向から治具を近づけて第２のホルダを保持する場合に、第２のホルダを第１のホルダに接着するために用いる接着剤が治具に付着するのを防止可能である。また、２つの延出部が有する係合部の形状を互いに異なる形状としているために、それを目印とすることによって、第２のホルダを第１のホルダに搭載する際に、搭載方向を間違える可能性を低減できる。すなわち、本発明によれば、対物レンズの傾き調整作業が行いやすい光ピックアップ用レンズホルダの提供が可能となる。
【００１３】
また、本発明は、上記構成の光ピックアップ用レンズホルダにおいて、前記２つの延出部は、前記第２の保持部を挟んで略対称方向に延出することとしてもよい。これによれば、第２のホルダの設計が複雑となることを避けられる。
【００１４】
また、本発明は、上記構成の光ピックアップ用レンズホルダにおいて、前記２つの係合部のうち、一方は凹部を有する形状であり、他方は凸部を有する形状であるのが好ましい。これによれば、治具を水平方向から近づけて第２のホルダを保持する場合に、第２のホルダの方向を一定の方向として保持する構成が実現できる。
【００１５】
また、本発明は、上記構成の光ピックアップ用レンズホルダにおいて、前記２つの係合部は、前記係合部に前記治具を左右から押し当てて前記第２のホルダを保持する場合に、前記第２のホルダの方向を一定の方向で保持できるように、その形状が形成されるのが好ましい。これによれば、治具を左右から押し当てて第２のホルダを保持する場合にも、第２のホルダの方向を一定の方向として保持できるために、第２のホルダの傾き調整作業が行い易い。
【００１６】
また、本発明は、上記構成の光ピックアップ用レンズホルダにおいて、前記凹部は略半円筒状であり、前記凸部は略三角柱状であることとしてもよい。
【００１７】
また、上記目的を達成するために本発明は、上記構成の光ピックアップ用レンズホルダを備える光ピックアップであることを特徴としている。これによれば、光ピックアップ用レンズホルダに搭載される対物レンズの傾き調整が行い易いために、対物レンズを複数有する光ピックアップについて、組み立て時の作業負担を低減できる光ピックアップの提供が可能となる。
【発明の効果】
【００１８】
本発明によれば、複数の対物レンズを搭載する光ピックアップ用レンズホルダであって、対物レンズの傾き調整を行い易い光ピックアップ用レンズホルダを提供可能である。また、そのような光ピックアップ用レンズホルダを備えることにより、複数の対物レンズを備える光ピックアップについて、組み立て時の作業負担を低減できる光ピックアップを提供できる。
【発明を実施するための最良の形態】
【００１９】
以下、本発明の光ピックアップ用レンズホルダ及び光ピックアップの実施形態について、図面を参照しながら説明する。
【００２０】
（光ピックアップの概略構成）
まず、本実施形態の光ピックアップの構成について説明する。図１は、本実施形態の光ピックアップの構成を示す概略平面図である。また、図２は、本実施形態の光ピックアップが備える光学系の構成を示す概略図である。なお、図１においては、理解を容易とするために光ディスク（光記録媒体）５０についても示しているが、光ディスク５０は光ピックアップ１よりも手前側に存在する。
【００２１】
光ピックアップ１は、光ディスク５０に対してレーザ光を照射して、情報の読み取り及び書き込みを行う装置である。この光ピックアップ１は、光ディスク５０の半径方向と平行な方向（ラジアル方向）に延び、所定の間隔で並設される２本のガイドレール２に摺動可能に支持される。光ピックアップ１のラジアル方向への移動には、例えばモータ、ラック、ピニオン（いずれも図示せず）を組合せて成る駆動機構が利用される。
【００２２】
図２に示すように、光ピックアップ１は２種類の光学系を備える。このうちの一方はＢＤ用の光学系で、他方はＤＶＤ及びＣＤ（ＤＶＤ／ＣＤ）用の光学系である。この２種類の光学系は、光ピックアップ１によって情報の読み取りや書き込みが行われる光ディスク５０の種類（ここでは、ＢＤ、ＤＶＤ、及びＣＤのうちのいずれか）によって切り換えて使用される。以下、ＢＤ用の光学系、ＤＶＤ／ＣＤ用の光学系について、別々に説明する。
【００２３】
ＢＤ用の光学系は、第１レーザダイオード１１と、回折素子１２と、偏光ビームスプリッタ１３と、第１コリメートレンズ１４と、１／４波長板１５と、第１立ち上げミラー１６と、第１対物レンズ１７と、第１シリンドリカルレンズ１８と、第１フォトディテクタ１９と、を備える。
【００２４】
第１レーザダイオード１１は、波長４０５ｎｍ帯のレーザ光を出射する光源である。第１レーザダイオード１１から出射されたレーザ光は、回折素子１２によって主ビームと２つの副ビームとに分けられる。回折素子１２から出射したレーザ光は、偏光ビームスプリッタ１３で反射され、第１コリメートレンズ１４に送られる。
【００２５】
第１コリメートレンズ１４は、図示しない駆動手段によって光軸方向（図２に示す矢印の方向）に移動可能となっており、その位置によって、第１対物レンズ１７に入射するレーザ光の収束発散状態を変化させる。このような構成とするのは、球面収差の補正を行えるようにするためである。
【００２６】
第１コリメートレンズ１４を出射したレーザ光は、偏光ビームスプリッタ１３と協働して光アイソレータとして機能する１／４波長板１５を通過し、第１立ち上げミラー１６によって反射されて第１対物レンズ１７に入射する。第１対物レンズ１７は、入射したレーザ光を光ディスク５０の記録面５０ａに集光する。
【００２７】
光ディスク５０で反射されたレーザ光は、第１対物レンズ１７を透過後、第１立ち上げミラー１６で反射され、１／４波長板１５、第１コリメートレンズ１４の順に透過後、更に偏光ビームスプリッタ１３も透過する。偏光ビームスプリッタ１３を透過したレーザ光は、非点収差を付与する機能を有する第１シリンドリカルレンズ１８を透過して、第１フォトディテクタ１９の受光面に集光する。第１フォトディテクタ１９は、入射した光信号を電気信号に変換して出力する。ここで出力された電気信号は処理されて、再生信号や、フォーカスエラー信号や、トラッキングエラー信号等となる。
【００２８】
次に、ＤＶＤ／ＣＤ用の光学系について説明する。ＤＶＤ／ＣＤ用の光学系は、第２レーザダイオード２１と、ハーフミラー２２と、第２コリメートレンズ２３と、第２立ち上げミラー２４と、第２対物レンズ２５と、第２シリンドリカルレンズ２６と、第２フォトディテクタ２７と、を備える。
【００２９】
第２レーザダイオード２１は、波長６５０ｎｍ帯のレーザ光と、波長７８０ｎｍ帯のレーザ光と、を切り換えて出射できる２波長レーザである。第２レーザダイオード２１から出射されたレーザ光は、ハーフミラー２２で反射されて第２コリメートレンズ２３に送られ、平行光に変換される。
【００３０】
第２コリメートレンズ２３から出射されたレーザ光（平行光）は、第２立ち上げミラー２４で反射され、第２対物レンズ２５に入射し、光ディスク５０の記録面５０ａに集光する。
【００３１】
光ディスク５０で反射されたレーザ光は、第２対物レンズ２５を透過後、第２立ち上げミラー２４で反射され、第２コリメートレンズ２３、ハーフミラー２２の順に透過し、非点収差を付与する機能を有する第２シリンドリカルレンズ２６を透過して、第２フォトディテクタ２７の受光面に集光する。第２フォトディテクタ２７は、入射した光信号を電気信号に変換して出力する。ここで出力された電気信号は処理されて、再生信号や、フォーカスエラー信号や、トラッキングエラー信号等となる。
【００３２】
なお、ここで示した光ピックアップ１の光学系の構成は、一例であって本発明の目的を逸脱しない範囲で、当然、種々の変更が可能である。本実施形態の光ピックアップ１においては、ＢＤ用の光学系とＤＶＤ／ＣＤ用の光学系とを完全に独立した構成としている。しかし、これとは異なり、例えば、一部の光学部材を、ＢＤ、ＤＶＤ、およびＣＤの情報の再生等を行う場合に共通して使用するような構成等としても構わない。
【００３３】
第１対物レンズ１７と第２対物レンズ２５とは、その詳細は後述する対物レンズアクチュエータ３０によって、フォーカス方向とトラッキング方向とに移動可能となっている。これにより、光ピックアップ１におけるフォーカス調整やトラッキング調整が可能となる。
【００３４】
なお、フォーカス方向とは、対物レンズ１７、２５が光ディスク５０に対して接離する方向であり、トラッキング方向とは、光ディスク５０の半径方向（ラジアル方向）と平行な方向である。また、フォーカス調整とは、第１対物レンズ１７又は第２対物レンズ２５の焦点位置が常に光ディスク５０の記録面５０ａに合うように行う調整のことで、トラッキング調整とは、記録面５０ａに形成されるビームスポットの位置が常に光ディスク５０に形成されるトラックに追従するように行う調整のことである。
【００３５】
（対物レンズアクチュエータの構成）
次に、本実施形態の光ピックアップ１が備える対物レンズアクチュエータ３０の構成の詳細について、図３及び図４を参照しながら説明する。ここで、図３は、本実施形態の光ピックアップ１が備える対物レンズアクチュエータの構成を示す概略平面図である。図４は、本実施形態の光ピックアップ１が備える対物レンズアクチュエータの構成を示す概略側面図である。
【００３６】
３１は、対物レンズアクチュエータ用のベース（以下、アクトベースと表現する）であり、強磁性を有する金属からなる。アクトベース３１には、そのほぼ中央にレーザ光を通過させる貫通孔（図示せず）が形成されている。そして、この貫通孔の上に、その詳細は後述するレンズホルダ（光ピックアップ用レンズホルダ）３２が配置される。また、アクトベース３１上には、レンズホルダ３２を挟むように所定間隔をあけて対向配置される一対の永久磁石３５ａ、３５ｂが立設されている。
【００３７】
永久磁石３５ａ、３５ｂは、同一の極（Ｎ極又はＳ極）が向かい合うように配置される（本実施形態ではＮ極が向かい合っている）。また、永久磁石３５ａ、３５ｂのそれぞれの外面には、アクトベース３１から折曲形成されたヨーク３１ｂ、３１ｃが磁着された状態となっている。
【００３８】
レンズホルダ３２を構成する第１のホルダ３３と第２のホルダ３４（いすれも詳細は後述する）とのうち、第１のホルダ３３の４つ側壁の内側には、図示しないフォーカスコイルがその側壁に沿うように巻回されている。なお、第１のホルダ３３は、図３に示すように平面視略矩形状となっており、巻回されたフォーカスコイルの形状も、平面視略矩形状となっている。このフォーカスコイルは、第１のホルダ３３に接着剤等で固着されている。なお、フォーカスコイルは、前述のフォーカス調整を行う際に使用される。
【００３９】
また、第１のホルダ３３の側壁のうち、永久磁石３５ａと対向する側壁の外側には、左右に並んだ一対のトラッキングコイル３６ａ、３６ｂが接着剤等で固着されている。また、第１のホルダ３３の側壁のうち、永久磁石３５ｂと対向する側壁の外側には、左右に並んだ一対のトラッキングコイル３６ｃ、３６ｄが接着剤等で固着されている。なお、トラッキングコイル３６ａ及びトラッキングコイル３６ｃ、並びに、トラッキングコイル３６ｂ及びトラッキングコイル３６ｄは、それぞれ対称位置に配置されている。また、４つのトラッキングコイル３６ａ〜３６ｄは、全体として１本の線で繋がっている。
【００４０】
アクトベース３１上には、２つの永久磁石３５ａ、３５ｂのうち、永久磁石３５ｂに磁着されたヨーク３１ｃの外面側と接し、平面視略コの字状に形成されるゲルボックス３７が固定される。また、アクトベース３１上には、ゲルボックス３７の外面に隣接配置される回路基板３８が立設された状態となっている。
【００４１】
この回路基板３８には、左右両側において、それぞれ上下方向に２箇所ずつ、導電性を有するワイヤ（弾性支持部材）３９ａ、３９ｂ、３９ｃ、３９ｄの各一端がハンダ付けにて接続されている。ゲルボックス３７には４つの挿通孔３７ａ、３７ｂ、３７ｃ、３７ｄが形成されており、挿通孔３７ａにはワイヤ３９ａが、挿通孔３７ｂにはワイヤ３９ｂが、挿通孔３７ｃにはワイヤ３９ｃが、挿通孔３７ｄにはワイヤ３９ｄが、それぞれ挿通されている。
【００４２】
なお、各挿通孔３７ａ〜３７ｄ内には、シリコンを主成分とするゲル材が充填されている。ここでゲル材は、低粘度のゲル材（ゾル）をゲルボックス３７の各挿通孔３７ａ〜３７ｄに注入した後、所定時間の紫外線照射によってゲル状に硬化して形成したものである。このゲル材により、レンズホルダ３２の駆動に応じて各ワイヤ３９ａ〜３９ｄに生じた振動を減衰することが可能となる。
【００４３】
ワイヤ３９ａ〜３９ｄの他端は、それぞれ、第１のホルダ３３の側壁に設けられるワイヤ固定部４０ａ〜４０ｄに、ハンダ付けにて固着されている。これにより、レンズホルダ３２は、ワイヤ３９ａ〜３９ｄによってアクトベース３１に対して揺動可能に支持された状態となっている。
【００４４】
また、ワイヤ固定部４０ａ〜４０ｄに固着された各ワイヤ３９ａ〜３９ｄのうち、ワイヤ３９ａ及びワイヤ３９ｃは、フォーカスコイル（図示せず）と電気的に接続された状態となっている。また、ワイヤ３９ｂ及びワイヤ３９ｄは、トラッキングコイル３６ａ〜３６ｄと電気的に接続された状態となっている。
【００４５】
このように構成される対物レンズアクチュエータ３０を用いてフォーカス調整を行う場合には、回路基板３８からワイヤ３９ａ、３９ｃを通じてフォーカスコイルに電流が供給される。そして、永久磁石３５ａ、３５ｂによって形成される磁界との電磁気的な作用により、レンズホルダ３２がフォーカス方向に変位される。フォーカスコイルに供給される電流の大きさ及び向きの調整により、レンズホルダ３２の変位が調整される。
【００４６】
また、対物レンズアクチュエータ３０を用いてトラッキング調整を行う場合には、回路基板３８からワイヤ３９ｂ、３９ｄを通じてトラッキングコイル３６ａ〜３６ｄに電流が供給される。そして、永久磁石３５ａ、３５ｂによって形成される磁界との電磁気的な作用により、レンズホルダ３２が、トラッキング方向に変位される。トラッキングコイル３６ａ〜３６ｄに供給される電流の大きさ及び向きの調整により、レンズホルダ３２の変位が調整される。
【００４７】
（光ピックアップ用レンズホルダの構成）
次に、本実施形態の光ピックアップ１（より詳細には対物レンズアクチュエータ３０）に備えられ光ピックアップ用レンズホルダ（レンズホルダ３２）の詳細について、図５及び図６を参照しながら説明する。図５は、本実施形態の光ピックアップ用レンズホルダの構成を示す概略斜視図である。また、図６は、本実施形態の光ピックアップ用レンズホルダが備える第２のホルダの構成を示す概略斜視図である。
【００４８】
レンズホルダ３２は、第１のホルダ３３と、第１のホルダ３３に搭載される第２のホルダ３４と、から成る。第１のホルダ３３には、その上部側に対物レンズを１つ保持する第１の保持部３３ａが形成されており、この第１の保持部３３ａにはＢＤ用として使用される第１対物レンズ１７が保持される。また、第１の保持部３３ａに保持された第１対物レンズ１７に、下部側から光を入射できるように、第１のホルダ３３には、図示しない貫通孔が形成されている。
【００４９】
また、第１のホルダ３３には、第２のホルダ３４を搭載するための搭載部３３ｂが設けられており、この搭載部３３ｂに第２のホルダ３４は搭載される。図示しないが、搭載部３３ｂの第２のホルダ３４と当接する部分は、第２のホルダ３４を摺動しやすいように曲面が形成されている。第２のホルダ３４が搭載される搭載部３３ｂの下部側は、第２のホルダ３４に搭載される対物レンズに下部側から光を入射できるように、図示しない貫通孔が形成されている。
【００５０】
なお、第１の保持部３３ａと搭載部３３ｂとは、第１対物レンズ１７と第２対物レンズ２５とが、タンジェンシャル方向（ラジアル方向と直交する方向、図３参照）に並ぶように、その位置が決められている。ただし、これに限定される趣旨ではなく、例えば、第１対物レンズ１７と第２対物レンズ２５とが、ラジアル方向に並設されるように、第１の保持部３３ａと搭載部３３ｂとを形成する等しても構わない。
【００５１】
第１のホルダ３３に搭載される第２のホルダ３４にも、その上部側に対物レンズを１つ保持する第２の保持部３４ａが形成されており、この第２の保持部３４ａにはＤＶＤ／ＣＤ用として使用される第２対物レンズ２５が保持される。また、第２の保持部３４ａに保持された第２対物レンズ２５に、下部側から光を入射できるように、第２のホルダ３４には、図示しない貫通孔が形成されている。
【００５２】
ここで、第２対物レンズ２５を第１のホルダ３３に直接搭載せずに、第２のホルダ３４を介して第１のホルダ３３に搭載する理由は、光ピックアップ１の組み立て時に、第１対物レンズ１７と第２対物レンズ２５との間に発生する相対的な収差（主にコマ収差）を低減しやすくするためである。
【００５３】
第１対物レンズ１７と第２対物レンズ２５との間に発生する相対的な収差は、対物レンズの傾きを調整することで低減できる。上述のように、対物レンズの傾き調整を行う場合、対物レンズを直接第１のホルダ３３に搭載すると対物レンズの傾斜調整を行いにくい。このため、本実施形態においては、第１のホルダ３３の搭載部３３ａと当接する底面３４ｃを球面状に設けて、第１のホルダ３３に対して摺動しやすくしている。そして、この第２のホルダ３３に第２対物レンズ２５を搭載し、第１のホルダ３３に対して第２のホルダ３４を摺動して傾けることによって、第２対物レンズ２５の傾きを調整する構成とし、第２対物レンズ２５の傾き調整を行いやすくしている。
【００５４】
第２のホルダ３４には、第２対物レンズ２５を保持する第２の保持部３４ａから略水平方向（水平方向が好ましいが、完全に水平である必要はない。）に延出する２つの延出部３４ｂが形成されている。本実施形態の第２のホルダ３４においては、２つの延出部３４ｂは、第２の保持部３４ａを挟んで略対称方向（対称方向が好ましいが、完全に対称方向でなくてもよい）に延出している。２つの延出部３４ｂの先端側には、それぞれ、第２のホルダ３４の傾き調整（すなわち、第２対物レンズ２５に傾き調整）を行う際に用いられる治具と係合する係合部４１、４２が形成されている。
【００５５】
この２つの係合部４１、４２のうち、第１の係合部４１は、先端側に向かって先細りする形状となっており、凸部を有する形状となっている。具体的には、第１の係合部４１は、略三角柱形状の凸部を有する形状となっている。一方、第２の係合部４２は、先端側の一部が第２の保持部３４ａ側に向かって凹んだ形状となっており、凹部を有する形状となっている。具体的には、第２の係合部４２は、略半円筒形状の凹部を有する形状となっている。
【００５６】
ここで、第２のホルダ３４に、上述のような係合部４１、４２を有する２つの延出部３４ｂを形成する理由について説明する。上述のように、第２のホルダ３４の傾きを調整するにあたって、調整用の治具で上方から第２のホルダ３４をチャックする構成とすると、スペースが狭く作業が行い難い。このために、本実施形態の第２のホルダ３４は、調整用の治具で左右（横）から第２のホルダ３４をチャックすることを念頭において形成されている。
【００５７】
第２のホルダ３４を左右から治具でチャックする場合、左右から第２のホルダ３４に近づけられる治具と第２のホルダ３４とが当接するタイミングが左右で異なると、第２のホルダ３４が左右方向に動いてしまう。第２のホルダ３４を紫外線硬化型の接着剤で第１のホルダ３３に接着する場合、第２のホルダ３４が左右方向に動くと、先に塗布しておいた接着剤が治具に付着してしまい、治具が第２のホルダ３４に接着される場合がある。この点、本実施形態のように、第２のホルダ３４に延出部３４ｂを設ける構成とすると、治具による第２のホルダ３４のチャック位置と、接着位置を離せるために、作業時に治具に接着剤が付着する可能性を低減できる。
【００５８】
また、第２のホルダ３４を左右から治具を押し当てながらチャックする場合、治具に第２のホルダ３４がチャックされた（保持された）状態において、第２のホルダ３４の方向が一定の方向となるように保持できるのが好ましい。第２のホルダ３４に第２対物レンズ２５を搭載する場合、第２対物レンズ２５が有する収差（主にコマ収差）の方向を管理しながら搭載する。このために、治具によって第２のホルダ３４を保持する場合に、第２のホルダ３４が回転するのは好ましくない。
【００５９】
この点、本実施形態の第２のホルダ３４のように係合部４１、４２を構成すると、治具を左右から押し当てて第２のホルダ３４を保持する場合に、第２のホルダ３４の方向を一定の方向で保持できる。これについて、図７を参照しながら説明する。図７は、第２のホルダ３４を左右から治具を押し当てて保持する場合の作用を説明するための図で、図７（ａ）は、第２のホルダ３４と治具６１、６２の関係を側面から見た側面図、図７（ｂ）は、第２のホルダ３４と治具６１、６２の関係を上から見た平面図である。
【００６０】
第２の係合部４２に治具６２のチャックピン６２ａを押し当てた場合、第２のホルダ３４は、治具６２側（図７では右側）に動かないように規制される。だだし、チャックピン６２ａを中心とした回転は可能である。この状態で、略三角柱形状の係合孔６１ａを有する治具６１を第１の係合部４１に押し当てるために近づけると、第１の係合部４１の先端部４１ａと係合孔６１ａの最深部６１ｂとが一直上にない場合でも（ずれの程度があまりに大きい場合は除く）、係合孔６１ａは入り口部分が広く形成されているために第１の係合部４１を容易に係合孔６１ａに挿入できる。そして、治具６１を更に第２のホルダ３４側に近づけると、凸部を有する形状とされた第１の係合部４１は係合孔６１ａ内をスライドする。その後、第１の係合部４１の先端部４１ａが係合孔６１ａの最深部６１ｂに到達すると、第２のホルダ３４は治具６１、６２によって保持（固定）された状態となる。
【００６１】
すなわち、本実施形態の第２のホルダ３４の構成の場合、左右から治具６１、６２を押し当てて保持する場合に、第２のホルダ３４の方向を一定の方向として保持できる。そして、第２のホルダ３４を治具６１、６２を用いて一定の方向となるように保持するにあたって、第２のホルダ３４の当初の方向が目的の方向に対して多少回転した状態でも、方向を修正しながら一定の方向となるように保持できるために作業性も良い。
【００６２】
なお、例えば、第２のホルダ３４の２つの係合部を、いずれも第１の係合部４１の形状とした場合には、治具で第２のホルダ３４を保持した状態において、第２のホルダ３４の方向を安定して一定の方向とするのが容易でない。また、例えば、第２のホルダ３４の２つの係合部を、いずれも第２の係合部４２の形状とした場合には、第２のホルダ３４が回転し易いために、治具を係合部に係合させて保持する作業が容易でなくなる。
【００６３】
更に、本実施形態の第２のホルダ３４のように、２つの延出部３４ｂに形成される係合部４１、４２の形状を異なる構成とした場合には、次のような利点もある。上述のように、第２のホルダ３４に搭載される第２対物レンズ２５は、その搭載時に収差方向の管理のために、その方向を決めて搭載している。このために、第２のホルダ３４を第１のホルダ３３に搭載する場合に、第２のホルダ３４の搭載方向は所定の方向とする必要があるが、２つの係合部４１、４２が異なる形状であるために、それを目印とすることによって、方向を誤って搭載する可能性を低減できる。
【００６４】
（光ピックアップ用レンズホルダへの対物レンズの搭載工程について）
次に、このように構成されるレンズホルダ３２に、第１対物レンズ１７と第２対物レンズ２５を搭載する工程の一例について説明する。
【００６５】
まず、第１対物レンズ１７が第１のホルダ３３の第１の保持部３３ａに搭載される。この際、第１対物レンズ１７が有するコマ収差等の収差方向を考慮して、第１対物レンズ１７は、所定の方向に向けられて第１の保持部３３ａに搭載される。そして、第１レーザダイオード１１（図２参照）からレーザ光を出射し、その際に第１対物レンズ１７から出射されるレーザ光を例えば干渉計によって観測し、最適な収差値となるように、対物レンズアクチュエータ３０の傾きを調整する。この際、対物レンズアクチュエータ３０は、治具によって保持され、その傾きの調整が行われる。
【００６６】
次に、第２対物レンズ２５が第２のホルダ３４の第２の保持部３４ａに搭載される。この際、第２対物レンズ２５が有するコマ収差等の収差方向を考慮して、第２対物レンズ２５は、所定の方向に向けられて第２の保持部３４ａに搭載される。そして、第２のホルダ３４は、第１のホルダ３３の搭載部３３ｂに搭載され、その傾きの調整が行われる。なお、この時点で紫外線硬化型の接着剤が接着位置に塗布されている。
【００６７】
第２のホルダ３４の傾き調整にあたっては、第２レーザダイオード２１からレーザ光を出射し、その際に第２対物レンズ２５から出射されるレーザ光を干渉計によって観測し、最適な収差値となるように、第２のホルダ３４の傾きが調整される。この際、第２のホルダ３４は、上述のように、治具６１、６２（図７参照）を左右から押し当てることによって保持される。
【００６８】
そして、各部の調整が終了すると、紫外線が照射されて各部の接着固定が行われる。このようにレンズホルダ３２に対物レンズ１７、２５を搭載する場合、両対物レンズ１７、２５間に発生する相対的な収差を抑制できる。また、第２のホルダ３４の傾きを調整する際に、左右から治具を近づけて第２のホルダ３４を保持し、その傾き調整を行えるので、作業時におけるスペースが狭いという問題を解消できる。更に、第２のホルダ３４の形状について、上述のようにその構成を工夫しているために作業性も良い。
【００６９】
（その他）
以上に示した実施形態は一例であり、本発明の光ピックアップ用レンズホルダ及び光ピックアップは、上述の実施形態に限定されるものではなく、本発明の目的を逸脱しない範囲で種々の変更が可能である。
【００７０】
本実施形態においては、第２のホルダ３４が有する２つの係合部４１、４２について、一方は略三角柱状の凸部を有する形状とし、他方は略半円筒状の凹部を有する形状とした。しかし、これに限定される趣旨ではなく、２つの係合部が異なる形状であればよい。これにより、第２のホルダ３４を第１のホルダ３３に搭載する際の方向の目印とできる。ただし、２つの係合部は、一方は凸部を有する形状で、他方は凹部を有する形状であるのが好ましい。このような構成を有する第２のホルダ３４として、例えば、図８に示すような構成等としても構わない。
【００７１】
なお、図８は、本実施形態の光ピックアップ用レンズホルダが備える第２のホルダ３４の変形例を示す概略斜視図である。図８において、２つの延出部３４ｂがそれぞれ有する係合部４１、４２は、一方（係合部４１）は、略かまぼこ状に形成されて凸部を有し、他方（係合部４２）は、かまぼこ状の凸部を逆さまにした場合の底面と同様の曲面を持つ凹部を有する構成となっている。
【００７２】
また、本実施形態においては、第２のホルダ３４の２つの延出部３４ｂは、第２の保持部３４ａを挟んで略対称方向に延出する構成としたが、必ずしもこの構成に限定される趣旨ではなく、略対称方向とは異なる方向に延出する構成としても構わない。
【００７３】
また、本実施形態においては、レンズホルダ３２に２つの対物レンズ１７、２５を搭載する構成とした。しかし、この構成に限定される趣旨ではなく、例えば、対物レンズの数を３つ以上としても構わない。この場合には、１つの対物レンズを直接第１のホルダ３３に搭載し、他の２つ以上の対物レンズについては第２のホルダ３４に搭載した状態で第１のホルダ３３に搭載する構成とすれば良い。
【００７４】
また、本実施形態においては、レンズホルダ３２を搭載する対物レンズアクチュエータ３０について、レンズホルダ３２をワイヤで支持し、レンズホルダ３２を揺動させて対物レンズを駆動する構成（ワイヤ支持方式の対物レンズアクチュエータ）とした。しかし、本発明の光ピックアップ用レンズホルダは、これと異なる対物レンズアクチュエータに搭載される場合にも適用可能である。すなわち、例えば、レンズホルダを支軸に対して摺動可能に保持し、レンズホルダを上下方向及び回転方向に摺動させて対物レンズを駆動する構成の対物レンズアクチュエータ（いわゆる軸摺動方式の対物レンズアクチュエータ）等にも、本発明は適用可能である。
【００７５】
また、本実施形態の光ピックアップは、ＢＤ、ＤＶＤ、及びＣＤに対して情報の読み取りや書き込みを行える構成としたが、これに限定される趣旨ではない。本発明は、光源から出射された光を光記録媒体の記録面に集光するための対物レンズを複数備える光ピックアップについて広く適用可能であるのは言うまでもない。
【産業上の利用可能性】
【００７６】
本発明の光ピックアップ用レンズホルダによれば、対物レンズの傾き調整が行い易い。このために、光ピックアップの組み立て時の作業負担を少なくできる。従って、本発明は光ピックアップの分野において有用である。
【図面の簡単な説明】
【００７７】
【図１】は、本実施形態の光ピックアップの構成を示す概略平面図である。
【図２】は、本実施形態の光ピックアップが備える光学系の構成を示す概略図である。
【図３】は、本実施形態の光ピックアップが備える対物レンズアクチュエータの構成を示す概略平面図である。
【図４】は、本実施形態の光ピックアップが備える対物レンズアクチュエータの構成を示す概略側面図である。
【図５】は、本実施形態の光ピックアップに備えられる光ピックアップ用レンズホルダの構成を示す概略斜視図である。
【図６】は、本実施形態の光ピックアップ用レンズホルダが備える第２のホルダの構成を示す概略斜視図である。
【図７】は、第２のホルダを左右から治具を押し当てて保持する場合の作用を説明するための図である。
【図８】は、本実施形態の光ピックアップ用レンズホルダが備える第２のホルダの変形例を示す概略斜視図である。
【符号の説明】
【００７８】
１              光ピックアップ
１１            第１レーザダイオード（光源）
１７            第１対物レンズ
２１            第２レーザダイオード（光源）
２５            第２対物レンズ
３０            対物レンズアクチュエータ
３２            レンズホルダ（光ピックアップ用レンズホルダ）
３３            第１のホルダ
３３ａ          第１の保持部
３４            第２のホルダ
３４ａ          第２の保持部
３４ｂ          延出部
４１            第１の係合部
４２            第２の係合部
５０            光ディスク（光記録媒体）
５０ａ          記録面
６１、６２      治具
【図１】
2009146531.tif 000003
【図２】
2009146531.tif 000004
【図３】
2009146531.tif 000005
【図４】
2009146531.tif 000006
【図５】
2009146531.tif 000007
【図６】
2009146531.tif 000008
【図７】
2009146531.tif 000009
【図８】
2009146531.tif 000010